(57)【要約】【課題】十分な排水勾配が設けられていなくても、下枠に滞留しようとする水を確実に排水することができるサッシ下枠の排水構造、およびこれを備えたサッシを提供すること。【解決手段】下枠１２と縦枠１３との間に介挿されるシール材２０に導水孔２０１を形成し、下枠１２の水平面部１２Ａに滞留しようとする水の仮想滞留表面と導水孔２０１の上端縁とが接しているので、水平面部１２Ａ上の水の表面張力が導水孔２０１の上端縁で壊され、導水孔２０１を介して排水部１２Ｄに流れ落ちて排水される。従って、バリアフリータイプの下枠１２において、水平面部１２Ａに十分な排水勾配を設けることが困難な場合であっても、水が水平面部１２Ａに滞留することなく、この水を確実に排水することができる。【選択図】  図２
2005023647.tif 000002
【特許請求の範囲】
【請求項１】
少なくとも下枠および縦枠を備えたサッシにおける下枠に滞留しようとする水を排水するサッシ下枠の排水構造であって、
前記下枠は、少なくとも水平面部と、この水平面部よりも下方に設けられた排水部とを有し、
前記下枠の長手方向側端面と縦枠の下部内側面との間には、当該下枠および縦枠の接合部分からの漏水を防止するシール材が介挿され、
前記シール材の一部は、前記下枠の水平面部よりも上方に延長されており、このシール材の延長された部分には、前記水平面部に隣接し、かつ当該水平面部の上下に跨る導水孔が形成され、この導水孔の上端縁は、前記水平面部の上面に表面張力により滞留しようとする水の仮想滞留表面の一部に接する位置に設けられているサッシ下枠の排水構造。
【請求項２】
前記下枠の水平面部には、当該下枠の長手方向略全長に渡って延びる溝が形成されている請求項１に記載のサッシ下枠の排水構造。
【請求項３】
前記下枠の水平面部には、前記下枠に支持された可動障子の戸車を案内するレール部が立設され、
前記レール部は、前記下枠の長手方向略全長に渡って設けられ、かつ前記シール材の導水孔に隣接する部分が切り欠かれている請求項１または請求項２に記載のサッシ下枠の排水構造。
【請求項４】
少なくとも下枠を備えたサッシにおける下枠内部に滞留しようとする水を排水するサッシ下枠の排水構造であって、
前記下枠は、当該下枠の上側から下枠内部に浸入した水を受け止める排水部と、この排水部に隣接して設けられ、かつ当該排水部で受け止めた水を下枠外部に排水する排水口とを有し、
前記排水口の上方または内側には、前記排水部の上面に略平行に、かつ隙間を有して延出する導水部材が設けられ、この導水部材は、前記排水部の上面に表面張力により滞留しようとする水の仮想滞留表面の一部に接して設けられているサッシ下枠の排水構造。
【請求項５】
前記排水部は、前記下枠の長手方向略全長に渡って延びる排水樋から構成され、この排水樋の内部底面には、当該排水樋の延出方向に沿った溝が形成され、前記排水口は、前記下枠の長手方向端部に取り付けられた排水キャップに設けられており、
前記導水部材は、基端部が前記排水キャップに固定され、かつ先端部が前記排水樋の溝の上方に沿って設けられた突起から構成されている請求項４に記載のサッシ下枠の排水構造。
【請求項６】
少なくとも下枠を備えたサッシにおける下枠内部に滞留しようとする水を排水するサッシ下枠の排水構造であって、
前記下枠は、上方に向かって開口した断面略コ字形の溝状部と、この溝状部の上方を覆って当該下枠上面を略フラットに形成するカバー部とを有し、
前記カバー部の下面には、前記溝状部の内部底面に隙間を介して対向する導水面部が設けられ、この導水面部は、前記溝状部の内部底面に表面張力により滞留しようとする水の仮想滞留表面の一部に接して設けられているサッシ下枠の排水構造。
【請求項７】
前記導水面部は、表面に凹凸形状を有した導水部材を前記カバー部の下面に取り付けて構成されている請求項６に記載のサッシ下枠の排水構造。
【請求項８】
請求項１ないし請求項７のいずれかに記載の排水構造を備えたサッシ。
【発明の詳細な説明】
【０００１】
【発明の属する技術分野】
本発明は、サッシ下枠の排水構造、およびこれを備えたサッシに関する。詳しくは、建物の外壁に設けられる窓や、浴室の出入口等を構成するサッシにおいて、サッシの下枠に滞留しようとする水を排水するサッシ下枠の排水構造、およびこれを備えたサッシに関する。
【０００２】
【背景技術】
外壁の窓や浴室出入口等の開口部に設けられる建具（サッシ）において、居室や浴室の床面とほぼフラットに上面が形成されたバリアフリータイプの下枠の排水構造が提案されている（例えば、特許文献１参照）。
特許文献１に記載の排水構造は、バリアフリータイプの浴室出入口の下枠における排水構造であって、下枠に流れ込んだ水を下枠下部の排水樋に導いて、下枠の長手方向両端部に設けた小口キャップの排水管から排水する排水構造である。この排水構造では、排水樋を下枠に対して浴室側にオフセットさせた、浴室床下位置に設けることで、下枠上面から排水樋までの高さ寸法が十分に確保されるため、大量の水が下枠に流れ込んでも、この水を排水樋でいったん貯留して、排水管から排水できるようになっている。すなわち、バリアフリータイプの下枠においては、下枠の高さ寸法を十分に確保することが難しく、大量の水を貯留するだけの貯留空間を設けられないという問題があったが、特許文献１に記載の排水構造により、この問題の解決が図られている。
【０００３】
【特許文献１】
特開平１１−１６６３２２号公報
【０００４】
【発明が解決しようとする課題】
しかしながら、特許文献１に記載の排水構造では、下枠本体の上面や排水樋の内部底面、レール支持面（下枠アタッチメントのベースプレート）等には、十分な排水勾配が設けられておらず、これらの各面が略水平に形成されているため、各面の上に流入した水の一部が表面張力によって滞留し、排水樋または排水管まで流れず、排水されない（残水する）という不都合が生じる。このため、十分な排水勾配が設けられていなくても、確実に排水することができる排水構造が望まれている。
このような不都合は、浴室に限らず、バリアフリータイプのサッシ窓においても生じるもので、サッシ窓の下枠における確実に排水することができる排水構造が望まれている。
【０００５】
本発明の目的は、十分な排水勾配が設けられていなくても、下枠に滞留しようとする水を確実に排水することができるサッシ下枠の排水構造、およびこれを備えたサッシを提供することにある。
【０００６】
【課題を解決するための手段】
本発明のサッシ下枠の排水構造は、少なくとも下枠および縦枠を備えたサッシにおける下枠に滞留しようとする水を排水するサッシ下枠の排水構造であって、前記下枠は、少なくとも水平面部と、この水平面部よりも下方に設けられた排水部とを有し、前記下枠の長手方向側端面と縦枠の下部内側面との間には、当該下枠および縦枠の接合部分からの漏水を防止するシール材が介挿され、前記シール材の一部は、前記下枠の水平面部よりも上方に延長されており、このシール材の延長された部分には、前記水平面部に隣接し、かつ当該水平面部の上下に跨る導水孔が形成され、この導水孔の上端縁は、前記水平面部の上面に表面張力により滞留しようとする水の仮想滞留表面の一部に接する位置に設けられていることを特徴とする。
【０００７】
ここで、下枠の水平面部としては、水平面でもよく、緩い傾斜が設けられた勾配面であってもよい。すなわち、水平面部とは、傾斜に沿って自然に水が流れる程度の水勾配が形成されておらず、表面張力の作用により水が流れずに滞留してしまう傾斜角度（例えば、１〜２度）以下の緩い傾斜を有したものを含んだ概念である。
また、「表面張力により滞留しようとする水の仮想滞留表面」とは、本発明のシール材の導水孔が設けられていない状態を仮定した場合に、下枠の水平面部上に滞留する水の表面張力によって形成される表面であって、導水孔を設けた場合には、この導水孔の作用で表面張力が壊されて水が排水されるために形成されない仮想的な表面を意味する。この仮想滞留表面の高さは、例えば、下枠が通常の表面処理を施されたアルミ形材製であれば、下枠の水平面部上面から約３ｍｍとなることが確認されている。
【０００８】
このような本発明によれば、シール材に形成した導水孔の上端縁と、下枠の水平面部に滞留しようとする水の仮想滞留表面とが接しているので、水平面部上の水の表面張力が導水孔の上端縁で壊され、導水孔を介して下枠の排水部に流れ落ちて排水される。この際、下枠と縦枠とがシール材を介して固定されているので、導水孔部分における下枠の長手方向側端面と縦枠の下部内側面との間には、シール材の厚さ寸法に応じた隙間が形成されており、この隙間を通って水が流れ落ちるようになっている。従って、バリアフリータイプの下枠において、下枠の水平面部に十分な排水勾配を設けることが困難な場合であっても、水が水平面部に滞留することなく、この水を確実に排水することができる。
【０００９】
この際、本発明のサッシ下枠の排水構造では、前記下枠の水平面部には、当該下枠の長手方向略全長に渡って延びる溝が形成されていることが望ましい。
ここで、溝は１本でも複数本でもよく、また、溝の寸法としては、溝の幅、深さ、および複数本の場合における溝同士のピッチが、滞留しようとする水の表面張力を壊して溝の延出方向に水を案内することができるように構成されたものが採用できる。
このような構成によれば、下枠の水平面部に溝を形成することで、表面張力により滞留しようとする水の表面張力が溝で壊され、水が溝に沿って案内されるようになる。そして、溝が下枠の長手方向略全長に渡って設けられているので、下枠と縦枠との間のシール材位置である下枠の長手方向端部位置まで、水平面部上の水が案内されて、シール材の導水孔から流れ落ちて排水される。従って、下枠の全長に渡って水平面部上の水を効果的に排水することができる。
【００１０】
さらに、本発明のサッシ下枠の排水構造では、前記下枠の水平面部には、前記下枠に支持された可動障子の戸車を案内するレール部が立設され、前記レール部は、前記下枠の長手方向略全長に渡って設けられ、かつ前記シール材の導水孔に隣接する部分が切り欠かれていることが望ましい。
このような構成によれば、可動障子を案内するレール部が水平面部に立設され、水平面部上の水がレール部に邪魔されて排水されにくくなり、滞留しやすくなった場合であっても、シール材の導水孔を介して排水することができる。また、水平面部上の大量の水は、レール部の切り欠き部分を通して、重力により自然に排水される。そして、この自然排水により水平面部上の水が少なくなった際に、表面張力により滞留しようとするのであるが、レール部の切り欠きがシール材の導水孔に隣接して設けられているので、自然排水時の水の流れと連続して、シール材の導水孔から排水されるため、排水の流れが途切れず、より効果的に水平面部上の水を排水することができる。
【００１１】
また、本発明のサッシ下枠の排水構造は、少なくとも下枠を備えたサッシにおける下枠内部に滞留しようとする水を排水するサッシ下枠の排水構造であって、前記下枠は、当該下枠の上側から下枠内部に浸入した水を受け止める排水部と、この排水部に隣接して設けられ、かつ当該排水部で受け止めた水を下枠外部に排水する排水口とを有し、前記排水口の上方または内側には、前記排水部の上面に略平行に、かつ隙間を有して延出する導水部材が設けられ、この導水部材は、前記排水部の上面に表面張力により滞留しようとする水の仮想滞留表面の一部に接して設けられていることを特徴とする構成が採用できる。
【００１２】
ここで、排水部としては、下枠の長手方向に沿って形成された排水樋であってもよく、また、ピット状に形成された排水穴であってもよい。すなわち、下枠内部に浸入した大量の水が下枠の上方に溢れないようにいったん貯留して、排水口に向かって流すことができるように構成されていればよい。そして、バリアフリータイプの下枠において、排水部の内部底面（上面）には、重力によって自然に水が流れる程度の水勾配が形成されておらず、表面張力の作用により水が流れずに滞留しやすくなっている。
また、「表面張力により滞留しようとする水の仮想滞留表面」とは、本発明の導水部材が設けられていない状態を仮定した場合に、下枠の排水部上面に滞留する水の表面張力によって形成される表面であって、導水部材を設けた場合には、この導水部材の作用で表面張力が壊されて水が排水口に導かれて、排水されるために形成されない仮想的な表面を意味する。
【００１３】
このような本発明によれば、下枠の排水部の上面に沿って設けた導水部材と、排水部の上面に滞留しようとする水の仮想滞留表面とが接しているので、排水部の水の表面張力が導水部材で壊され、導水部材に沿って水が排水口に導かれて排水される。従って、バリアフリータイプの下枠において、下枠の排水部に十分な排水勾配を設けることが困難な場合であっても、水が排水部上面に滞留することなく、確実に排水することができる。
【００１４】
この際、本発明のサッシ下枠の排水構造では、前記排水部は、前記下枠の長手方向略全長に渡って延びる排水樋から構成され、この排水樋の内部底面には、当該排水樋の延出方向に沿った溝が形成され、前記排水口は、前記下枠の長手方向端部に取り付けられた排水キャップに設けられており、前記導水部材は、基端部が前記排水キャップに固定され、かつ先端部が前記排水樋の溝の上方に沿って設けられた突起から構成されていることが望ましい。
このような構成によれば、下枠の排水部を排水樋から構成し、この排水樋の内部底面に溝を形成することで、表面張力により滞留しようとする水の表面張力が溝で壊され、水が溝に沿って案内されるようになる。そして、溝が下枠の長手方向略全長に渡って設けられ、下枠の端部には排水口を有する排水キャップ、および排水キャップに固定された導水部材が設けられているので、溝に案内された水が導水部材に導かれて排水口がら排水される。従って、下枠の全長に渡って排水樋の内部底面の水を効果的に排水することができる。
また、導水部材を突起から構成し、基端部を排水キャップに固定することで、下枠の端部に排水キャップを取り付けるだけで、排水樋の内部底面に沿って導水部材を配置することができ、下枠に複雑な加工を施す必要がなく、導水部材を容易に設けることができる。
【００１５】
また、本発明のサッシ下枠の排水構造は、少なくとも下枠を備えたサッシにおける下枠内部に滞留しようとする水を排水するサッシ下枠の排水構造であって、前記下枠は、上方に向かって開口した断面略コ字形の溝状部と、この溝状部の上方を覆って当該下枠上面を略フラットに形成するカバー部とを有し、前記カバー部の下面には、前記溝状部の内部底面に隙間を介して対向する導水面部が設けられ、この導水面部は、前記溝状部の内部底面に表面張力により滞留しようとする水の仮想滞留表面の一部に接して設けられていることを特徴とする構成が採用できる。
【００１６】
ここで、カバー部は、踏み込み部用に上面がフラットに形成されたものでもよく、また、上面に障子の戸車案内用のレールが形成されたレール一体型のものでもよい。そして、バリアフリータイプの下枠において、溝状部の内部底面には、重力によって自然に水が流れる程度の水勾配が形成しづらく、表面張力の作用により水が滞留しやすくなっている。
また、「表面張力により滞留しようとする水の仮想滞留表面」とは、本発明の導水面部が設けられていない状態を仮定した場合に、下枠の溝状部の内部底面上に滞留する水の表面張力によって形成される表面であって、導水面部を設けた場合には、この導水面部の作用で表面張力が壊されて水が排水されるために形成されない仮想的な表面を意味する。
【００１７】
このような本発明によれば、カバー部に設けた導水面部と、溝状部の内部底面に滞留しようとする水の仮想滞留表面とが接しているので、溝状部の内部底面の水の表面張力が導水面部で壊されて、水が滞留しにくくなり排水される。この際、溝状部の内部から下枠外部に排水する排水口は、溝状部の内部底面に開口して形成されていてもよく、また、溝状部の側面部分や、下枠の長手方向端部に設けられていてもよい。従って、バリアフリータイプの下枠において、下枠の溝状部の内部底面に十分な排水勾配を設けることが困難な場合であっても、水が溝状部の内部底面に滞留することなく、確実に排水することができる。
【００１８】
この際、本発明のサッシ下枠の排水構造では、前記導水面部は、表面に凹凸形状を有した導水部材を前記カバー部の下面に取り付けて構成されていることが望ましい。
このような構成によれば、導水面部が表面に凹凸形状を有した導水部材から構成されることで、導水部材の表面の凹凸により水の表面張力をより壊しやすくすることができる。この際、導水部材としては、スポンジ等の海綿状の材料や多孔質材料等が採用できる。そして、これらの材料から形成された導水部材と、踏み込み部用やレール一体型のカバーとして強度が必要とされるカバー部とを別体にしたことで、カバー部および導水部材の材料選定の幅を拡げることができるとともに、各々の製造に掛かる加工手間を軽減することができる。
【００１９】
一方、本発明のサッシは、前記したいずれかの排水構造を備えたことを特徴とする。
ここで、サッシとしては、外壁に設けられるサッシ窓や、浴室出入口の建具等を意味する。
このような本発明によれば、前記したいずれかの排水構造が有する作用効果と略同様の作用効果を奏するサッシを提供することができる。
【００２０】
【発明の実施の形態】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、建具枠等、主要構成部品の断面を示すハッチングが省略されている。
【００２１】
〔第１実施形態〕
本発明の第１実施形態に係る排水構造が設けられた建具（サッシ）について、図１ないし図５に基づいて説明する。
図１は、本実施形態の排水構造が設けられた浴室出入口１を示す縦断面図である。図２は、浴室出入口１の要部を拡大して示す脱衣室側から見た斜視図である。図３は、浴室出入口１の建具を構成する下枠の断面図であり、図４は、下枠および縦枠の接合部分を拡大して示す断面図である。図５（Ａ），（Ｂ）は、下枠の一部を拡大して示す断面図である。
【００２２】
本実施形態の浴室出入口１は、浴室床２の床面２Ａおよび脱衣室床３の床面３Ａと、建具枠１０の敷居（下枠１２）の上面とが、ほぼフラット（例えば、３ｍｍ以下の段差）に形成された、いわゆるバリアフリータイプの浴室に設置されている。この浴室は、浴槽（不図示）や浴室床（防水パン）２等がＦＲＰ（Ｆｉｂｅｒ−Ｒｅｉｎｆｏｒｃｅｄ  Ｐｌａｓｔｉｃｓ  ：繊維強化プラスチック）等から一体に形成され、あるいは別体で製造した部材を組み合わせてユニット化されたもので、図示しない躯体上に載置されている。
【００２３】
浴室出入口１は、折れ戸形式の出入口であって、それぞれアルミ押出形材製の上枠１１、下枠１２、および左右の縦枠１３を四周枠組みして形成された建具枠１０と、この建具枠１０内に開閉自在に設けられた折れ戸形式の障子（可動障子）１５とを備えて構成されている。建具枠１０は、脱衣室側において、脱衣室床３に下枠１２が、天井４に上枠１１が、それぞれビス止め固定され、浴室側において、浴室床２の端部に形成された支持部２Ｂに下枠１２が載置されて、支持されている。
【００２４】
建具枠１０の上枠１１は、断面略Ｌ字形に形成されており、上枠１１の下面には、上レール１１Ａが形成されている。この上レール１１Ａによって、障子１５の上框１６に設けられた戸車１６Ａが上枠１１の長手方向に沿って案内されるようになっている。また、上枠１１には、止水用のスペーサ５Ａを介して浴室の天井５が取り付けられている。そして、上枠１１の下面および縦枠１３の内側面には、障子１５の脱衣室側側面に当接する止水材としてのウォーターバリアを保持する突片１１Ｂ，１３Ａが形成されている。
【００２５】
下枠１２は、図２、３に示すように、略水平な底面部１２１と、底面部１２１の浴室側端縁から略垂直に立ち上がる浴室側側面部１２２と、底面部１２１の脱衣室側端縁から略垂直に立ち上がる脱衣室側側面部１２３と、これら浴室側および脱衣室側の側面部１２２，１２３間の底面部１２１に下枠１２の長手方向略全長に渡って立設された第１および第２の立上部１２４，１２５を備えている。そして、下枠１２には、浴室側側面部１２２および第１立上部１２４の上端間に渡って、上面部１２６が設けられ、第２立上部１２５の略中間位置および脱衣室側側面部１２３の上端間に渡って、脱衣室側から浴室側に下がる傾斜を有した傾斜面部１２７が設けられている。この傾斜面部１２７は、脱衣室側側面部１２３を超えて脱衣室側に延びて形成されており、この延長された傾斜面部１２７の脱衣室側端縁には、アタッチメントを介して下枠１２を脱衣室床３に固定するための固定部１２７Ａが形成されている。
【００２６】
下枠１２の上面部１２６は、浴室側側面部１２２側から第１立上部１２４側（浴室側から脱衣室側）に向かって下がる傾斜面と、第１立上部１２４上端位置から脱衣室側に向かって略水平に延出する水平面とを有して形成されている。この上面部１２６の水平面により、本発明の請求項１〜３に記載した水平面部１２Ａが構成されている。また、水平面部１２Ａの脱衣室側端縁には、下枠１２の長手方向略全長に渡って、レール部としての下レール１２Ｂが形成されている。この下レール１２Ｂによって、障子１５の下框１７に設けられた戸車１７Ａが下枠１２の長手方向に沿って案内されるようになっている。下レール１２Ｂの長手方向端部、すなわち縦枠１３に隣接する位置には、下レール１２Ｂが切り欠かれた切欠部１２Ｃが形成されている。すなわち、浴室から上面部１２６に流れ込んだ水は、下レール１２Ｂで堰き止められることとなるが、左右の端部に形成された切欠部１２Ｃから下方に流れ落ちるようになっている。
【００２７】
また、浴室側側面部１２２の浴室側上部には、上方に向かって略Ｌ字形に折れ曲がった係合部１２２Ａが形成されており、この係合部１２２Ａには、図１に示すように、下枠１２と浴室床２との隙間を塞ぐアタッチメント１８が係合されている。
また、下枠１２の上面には、図１に示すように、第１および第２のカバー材１９Ａ，１９Ｂが配置されている。第１カバー材１９Ａは、断面略Ｌ字形に形成され、下枠１２の第１立上部１２４の脱衣室側側面途中位置に突出して形成された受け部１２４Ｂと、第２立上部１２５の上端位置に形成された受け部１２５Ｂとの間に架設され、後述する排水樋１２Ｄの上方を覆って配置されている。また、第２カバー材１９Ｂは、第２立上部１２５上端の受け部１２５Ｂと、脱衣室側に延長された固定部１２７Ａとの間に架設され、傾斜面部１２７の上方を覆って配置されている。これら第１および第２のカバー材１９Ａ，１９Ｂは、それぞれ上面が下レール１２Ｂや上面部１２６と略同一高さ位置に略水平に設けられている。これにより、上面が略フラットに形成されたバリアフリータイプの下枠１２が構成されるようになっている。
【００２８】
そして、下枠１２には、底面部１２１と、第１および第２の立上部１２４，１２５とで三方を囲まれ、上方に開口した断面略コ字形溝状の排水部としての排水樋１２Ｄが形成されている。この排水樋１２Ｄは、下枠１２の略全長に渡って形成されるとともに、図１に二点鎖線で示す排水管６に連通されており、下枠１２に浸入した水は、排水樋１２Ｄを介して排水管６から下枠１２の外に排出されるようになっている。そして、排水樋１２Ｄは、大量の水が流れ込んでも、この水をいったん貯留し、下枠１２の上側に溢れ出して、脱衣室側に漏れないように、深さ寸法および見込み寸法（容積）が設定されている。
【００２９】
また、図５に示すように、下枠１２の水平面部１２Ａには、下枠１２の長手方向略全長に渡って溝１２Ｆが形成されている。この溝１２Ｆは、所定の深さ寸法（例えば、０．３〜０．６ｍｍ）を有し、断面略半円形状（図５（Ａ））、または断面略三角形状（図５（Ｂ））に形成され、水平面部１２Ａ上の水をこの溝１２Ｆに沿って案内できるようになっている。すなわち、水平面部１２Ａ上に滞留しようとする水の表面張力が溝１２Ｆにより壊されて、水平面部１２Ａ上に水が滞留しにくくなっている。
【００３０】
以上のような下枠１２と縦枠１３とは、外側から縦枠１３を貫通したビスを、下枠１２のビスホール１２４Ａ，１２５Ａに螺合することで、互いに固定されている。そして、下枠１２の長手方向側端面と、縦枠１３の下部内側面との間、すなわち下枠１２および縦枠１３の接合面間には、接合部分からの漏水を防止するシール材２０が介挿されている。このシール材２０は、本実施形態においては、厚さ寸法が２ｍｍのゴム製シート状部材であって、下枠１２および縦枠１３を固定するビスを締め付けることで、押圧されて、接合面間における厚さ寸法が１ｍｍ程度につぶされた状態になっている。すなわち、図４に示すように、下枠１２の長手方向側端面１２Ｅと、縦枠１３の内側面１３Ｂとは、約１ｍｍの間隔を介して固定されていることになる。
【００３１】
シール材２０は、図３に示すように、下枠１２の浴室側側面部１２２から脱衣室側側面部１２３までの全体見込み寸法を有し、この見込み範囲で下枠１２の側端面１２Ｅ全体に当接するだけの大きさ、形状を有している。そして、シール材２０は、下枠１２の底面部１２１、浴室側側面部１２２、第１立上部１２４、および上面部１２６に当接する浴室側シール部２０Ａと、下枠１２の底面部１２１に沿った底面シール部２０Ｂと、底面部１２１、脱衣室側側面部１２３、第２立上部１２５、および傾斜面部１２７に当接し、縦枠１３の内側面１３Ｂに沿って上方に延びた脱衣室側シール部２０Ｃとから、一体に形成されている。下枠１２の水平面部１２Ａに隣接位置において、シール材２０の浴室側シール部２０Ａには、導水孔２０１が穿設されている。
【００３２】
導水孔２０１は、シール材２０を厚さ方向に貫通して形成されており、下枠１２の水平面部１２Ａの上下に跨って設けられている。すなわち、導水孔２０１の上端縁２０１Ａは、水平面部１２Ａの上面よりも所定距離（例えば、２〜３ｍｍ）だけ上方で、水平面部１２Ａに滞留しようとする水の仮想滞留表面Ｓ（図４）に接する位置に設けられている。また、導水孔２０１の下端縁は、水平面部１２Ａの下面よりも下がった位置に設けられ、導水孔２０１の側端縁は、水平面部１２Ａの脱衣室側端縁に見込み方向に跨って設けられている。
【００３３】
次に、浴室出入口１の下枠１２における排水構造について説明する。
浴室側から下枠１２の上面部１２６に流れ込んだ水の多くは、下レール１２Ｂで堰き止められるとともに、下レール１２Ｂに沿って端部側（縦枠１３側）に流れて、切欠部１２Ｃから排水樋１２Ｄに流れ落ちる。上面部１２６に流れ込む水が多い場合、あるいは勢いよく流れ込んだ場合には、流れ込んだ水の一部が下レール１２Ｂを乗り越え、カバー材１９Ａまで達することがあるが、この場合には、カバー材１９Ａに適宜設けた排水孔（不図示）から排水樋１２Ｄに水が流れ落ちる。さらに、カバー材１９Ａを乗り越え、カバー材１９Ｂまで達した場合には、カバー材１９Ｂに適宜設けた排水孔（不図示）から、傾斜面部１２７に水が流れ落ちる。そして、傾斜面部１２７の勾配に沿って流れた水は、第２立上部１２５に設けた排水孔１２５Ｃを通って、排水樋１２Ｄに流れ落ちる。以上のようにして、排水樋１２Ｄに流れ落ちた水は、排水樋１２Ｄに沿って流れ排水管６から下枠１２外部に排出される。
【００３４】
また、下枠１２の上面部１２６に流れ込んだ水の大半が排水され、水自体の水圧（重力）では排水できない程度まで水の量が少なくなった状態において、表面張力により水平面部１２Ａに滞留しようとする水は、その仮想滞留表面Ｓ（図４）がシール材２０の導水孔２０１の上端縁２０１Ａに接するようになっている。これにより、滞留しようとする水は、導水孔２０１内（下枠１２の長手方向側端面１２Ｅと縦枠１３の内側面１３Ｂとの隙間）を通って、下方の排水樋１２Ｄに流れ落ちる。この際、導水孔２０１から流れ落ちる水に引っ張られるとともに、溝１２Ｆに案内されて、水平面部１２Ａ上の水が順次下枠１２の端部位置まで流れ、導水孔２０１から排水樋１２Ｄに流れ落ちて、排水管６から排水される。
【００３５】
このような本実施形態によれば、以下のような効果がある。
（１）  シール材２０の導水孔２０１の上端縁２０１Ａと、下枠１２の水平面部１２Ａに滞留しようとする水の仮想滞留表面Ｓとが接しているので、水平面部１２Ａ上の水の表面張力が壊され、導水孔２０１を介して排水樋１２Ｄに流れ落ちて排水される。従って、バリアフリータイプの下枠１２において、水平面部１２Ａに水が滞留しやすい場合であっても、この水を確実に排水することができ、下枠１２上面を即座に乾燥させて、清潔性を維持させることができる。
【００３６】
（２）  この際、水平面部１２Ａに立設した下レール１２Ｂに堰き止められて、より水が滞留しやすくなっていても、水平面部１２Ａに溝１２Ｆを形成したことで、水の表面張力を壊し、溝１２Ｆに沿って下枠１２の端部位置まで水を案内して、導水孔２０１から排水することができるので、下枠１２の全長に渡って水平面部１２Ａ上の水を効果的に排水することができる。
【００３７】
（３）  また、水平面部１２Ａ上の大量の水は、下レール１２Ｂの切欠部１２Ｃを通して、重力により自然に排水され、この自然排水により水平面部１２Ａ上の水が少なくなった際に、表面張力により滞留しようとする水が、シール材２０の導水孔２０１を介して排水される。そして、下レール１２Ｂの切欠部１２Ｃが導水孔２０１に隣接して設けられているので、自然排水時の水の流れと連続して、導水孔２０１から排水されるため、排水の流れが途切れず、より効果的に水平面部上の水を排水することができる。
【００３８】
（４）  この際、下レール１２Ｂの切欠部１２Ｃがプレス加工等で形成された場合などに、加工時のカエリ（切り残し代）によって排水が邪魔されて、残水しやすくなっていても、シール材２０の導水孔２０１を介して排水できる。
【００３９】
（５）  また、下枠１２と縦枠１３とがシール材２０を介して固定され、導水孔２０１部分における下枠１２の長手方向側端面１２Ｅと、縦枠１３の内側面１３Ｂとの間に、シール材２０を押圧した隙間が形成されるので、水が流れ落ちる隙間を別途加工により形成する必要がないため、排水経路を容易に形成することができる。
【００４０】
〔第２実施形態〕
次に、本発明の第２実施形態に係る排水構造が設けられたサッシについて、図６ないし図９に基づいて説明する。
図６は、本実施形態の排水構造が設けられた浴室出入口１の下枠３２部分を拡大して示す縦断面図である。図７は、下枠３２の端部を拡大して示す斜視図である。図８（Ａ），（Ｂ）は、下枠３２の端部および排水キャップを示す平面図および断面図である。図９は、下枠３２の一部を拡大して示す断面図である。
【００４１】
本実施形態の浴室出入口１は、前述の第１実施形態と同様に、それぞれアルミ押出形材製の上枠（不図示）、下枠３２、および左右の縦枠（不図示）を四周枠組みして形成された建具枠と、この建具枠内に開閉自在に設けられた可動障子３５とを備えて構成されている。
【００４２】
下枠３２は、上方に向かって開口した断面略コ字形に形成されており、下枠３２の上方には、脱衣室側から浴室側に第１および第２のカバー材３９Ａ，３９Ｂと、アタッチメント３８が配置されている。これら第１および第２のカバー材３９Ａ，３９Ｂ、およびアタッチメント３８の上面は、それぞれ浴室床面２Ａおよび脱衣室床面３Ａと略同一高さ位置に設けられている。これにより、上面が略フラットに形成されたバリアフリータイプの下枠３２が構成されるようになっている。
【００４３】
下枠３２は、底面部３２１と、底面部３２１の浴室側端縁から略垂直に立ち上がる浴室側側面部３２２と、底面部３２１の脱衣室側端縁から略垂直に立ち上がる脱衣室側側面部３２３とを備えている。そして、下枠３２は、浴室側側面部３２２の上端から脱衣室側に延びる第１支持面部３２４、および第１支持面部３２４の脱衣室側端縁から略垂直に立ち上がる第１立上片３２５と、浴室側側面部３２２から浴室側に延出する第２支持面部３２６と、第２支持面部３２６に立設された第２立上片３２６Ａとを備えて構成されている。これら第１および第２の支持面部３２４，３２６、第１および第２の立上片３２５，３２６Ａに浴室床２が載置されている。また、脱衣室側側面部３２３の浴室側側面には、第３立上片３２３Ａが設けられており、この第３立上片３２３Ａの上端と脱衣室床３との間に第１カバー材３９Ａが支持されている。
【００４４】
下枠３２には、底面部３２１、浴室側側面部３２２、脱衣室側側面部３２３で三方を囲まれた排水部としての排水樋３２Ａが形成されている。この排水樋３２Ａは、下枠３２の略全長に渡って形成されるとともに、後述する排水口４１に連通されており、下枠３２に浸入した水は、排水樋３２Ａを介して排水口４１から下枠３２の外に排出されるようになっている。そして、排水樋３２Ａは、大量の水が流れ込んでも、この水をいったん貯留し、下枠３２の上側に溢れ出して、脱衣室側に漏れないように、深さ寸法および見込み寸法（容積）が設定されている。
【００４５】
また、下枠３２の底面部３２１の見込み方向略中央には、下枠１２の長手方向略全長に渡って溝３２Ｂが形成されている。この溝３２Ｂは、所定の深さ寸法（例えば、０．３〜０．６ｍｍ）を有し、断面略半円形状、または断面略三角形状に形成され、排水樋３２Ａ中の水をこの溝３２Ｂに沿って案内できるようになっている。すなわち、下枠３２の底面部３２１上に滞留しようとする水の表面張力が溝３２Ｂにより壊されて、底面部３２１上に水が滞留しにくくなっている。
【００４６】
以上のような下枠３２の端部には、合成樹脂製の排水キャップ４０が取り付けられている。この排水キャップ４０は、下枠３２の断面形状に応じた形状を有しており、下枠３２の端面に密接した状態で、下枠３２に設けられた３箇所のビスホール３２Ｃにビス止め固定されている。そして、排水キャップ４０には、下枠３２の長手方向に沿って、下枠３２の反対方向に向かって開口した円筒形の排水口４１が設けられている。この排水口４１の内周下端縁は、下枠３２の底面部３２１上面よりも下がった位置に設けられており、排水樋３２Ａからの水が流れ落ちるようになっている。そして、排水口４１には、図示しない排水管が接続されており、排水樋３２Ａから流れ込んだ水が下枠３２の外部に排出される。
【００４７】
排水キャップ４０には、排水樋３２Ａに向かって略水平に延出する突起４２が固定されている。突起４２は、棒状の部材からなり、基端部が排水キャップ４０に固定され、先端部が下枠３２の底面部３２１に略平行に、かつ底面部３２１に形成された溝３２Ｂ上方に沿って配置されている。突起４２の基端部は、図８（Ｂ）に示すように、排水口４１の排水樋３２Ａ側の開口４１Ａの内側に配置されている。また、突起４２の先端部は、図９に示すように、下枠３２の底面部３２１上面よりも所定距離（例えば、２〜３ｍｍ）だけ上方で、底面部３２１の溝３２Ｂに滞留しようとする水の仮想滞留表面Ｓに接する位置に設けられている。以上のような突起４２により、本発明の請求項４、５に記載した導水部材が構成されている。
なお、導水部材は、棒状の部材から形成された突起４２に限らず、板材から形成してもよく、また、１本に限らず、複数本配置してもよい。
【００４８】
次に、浴室出入口１の下枠３２における排水構造について説明する。
浴室側からアタッチメント３８を越えて、第１および第２のカバー材３９Ａ，３９Ｂの間から下枠３２に流れ込んだ水は、第１カバー材３９Ａを伝って排水樋３２Ａに流れ落ちる。排水樋３２Ａに流れ落ちた水は、排水樋１２Ｄに沿って流れ排水口４１を介してから下枠１２外部に排出される。
【００４９】
また、排水樋３２Ａ内の大半の水が排水され、水自体の水圧（重力）では排水できない程度まで水の量が少なくなった状態において、表面張力により底面部３２１の溝３２Ｂに滞留しようとする水は、その仮想滞留表面Ｓが突起４２に接するようになっている。これにより、滞留しようとする水は、その表面張力が壊され、突起４２を伝って排水口４１に流れ落ちる。この際、排水口４１に流れ落ちる水に引っ張られるとともに、溝３２Ｂに案内されて、底面部３２１上の水が順次突起４２まで引き寄せられて、排水口４１に流れ落ち排水管から排水される。
【００５０】
このような本実施形態によれば、以下のような効果がある。
（６）  排水キャップ４０に固定された突起４２と、下枠３２の底面部３２１の溝３２Ｂに滞留しようとする水の仮想滞留表面Ｓとが接しているので、底面部３２１上の水の表面張力が壊され、突起４２を伝って排水口４１に流れ落ちて排水される。従って、バリアフリータイプの下枠３２において、底面部３２１に水が滞留しやすい場合であっても、この水を確実に排水することができ、下枠３２内部を即座に乾燥させて、清潔性を維持させることができる。
【００５１】
（７）  この際、下枠３２の底面部３２１に溝３２Ｂを形成したことで、水の表面張力を壊し、溝３２Ｂに沿って突起４２の位置まで水を案内して、排水口４１から排水することができるので、下枠３２の全長に渡って底面部３２１上の水を効果的に排水することができる。
【００５２】
（８）  また、突起４２の基端部を排水キャップ４０に固定することで、下枠３２の端部に排水キャップ４０を取り付けるだけで、排水樋３２Ａの内部底面に沿って導水部材を配置することができ、下枠３２に複雑な加工を施す必要がなく、導水部材を容易に設けることができる。
【００５３】
〔第３実施形態〕
次に、本発明の第３実施形態に係る排水構造が設けられたサッシについて、図１０ないし図１２に基づいて説明する。
図１０は、本実施形態の排水構造が設けられた浴室出入口１の下枠５２部分を拡大して示す縦断面図である。図１１は、下枠５２に設けられるカバー部材５８を下方から見た底面図である。図１２は、下枠５２の一部を拡大して示す断面図である。
【００５４】
本実施形態の浴室出入口１は、前述の第１実施形態と同様に、それぞれアルミ押出形材製の上枠（不図示）、下枠５２、および左右の縦枠５３を四周枠組みして形成された建具枠と、この建具枠内に開閉自在に設けられた片引き形式、あるいは折れ戸形式の障子（可動障子）５５とを備えて構成されている。
【００５５】
下枠５２は、上方に向かって開口した浅溝状に形成されており、下枠５２の上側には、上面がフラットに形成されたカバー部としてのカバー部材５８が配置されている。このカバー部材５８の上面は、それぞれ浴室床面２Ａおよび脱衣室床面３Ａと略同一高さ位置に設けられている。これにより、上面が略フラットに形成されたバリアフリータイプの下枠５２が構成されるようになっている。また、浴室床２には、浴室出入口１から図示しない排水口（ドレン）に向かって延びる溝部２Ｃが形成されている。
【００５６】
下枠５２は、底面部５２１と、底面部５２１の浴室側端縁から略垂直に立ち上がる浴室側側面部５２２と、底面部５２１の脱衣室側端縁から略垂直に立ち上がる脱衣室側側面部５２３と、底面部５２１の脱衣室に偏った位置に脱衣室側側面部５２３に平行に立設され、障子５５の戸車５７Ａを案内する下レール５２４とを備えている。そして、下枠５２には、底面部５２１の浴室側端縁から下方に延びて、脱衣室側に折り曲げられた第１支持部５２５と、脱衣室側側面部５２３の上端から脱衣室側に延出する第２支持部５２６とが形成されている。そして、第１支持部５２５が浴室床２の支持部２Ｂに取り付けられた支持部材７に載置され、第２支持部５２６が脱衣室床３にビス止め固定されることで、下枠５２が固定されている。また、脱衣室側側面部５２３の浴室側側面には、止水材としてのウォーターガード５２３Ａが取り付けられており、このウォーターガード５２３Ａが障子５５の下框５７の脱衣室側側面に当接して、脱衣室側への漏水が防止されている。
【００５７】
下枠５２の底面部５２１には、脱衣室側から浴室側に向かって緩やかに下がる傾斜が設けられている。この底面部５２１の傾斜角度は、例えば、１〜２度の範囲に設定されており、大量の水であれば傾斜に沿って自然に流れ落ちるものの、少量の水の場合には表面張力の作用により流れずに滞留してしまう程度の傾斜角度となっている。
また、浴室側側面部５２２には、浴室床２の溝部２Ｃに対応した位置に複数の排水口５２２Ａが穿設されている。この排水口５２２Ａは、下枠５２の底面部５２１に浸入した水を浴室床２側に排水するためのもので、溝部２Ｃの幅寸法と略同一の見つけ寸法に形成されている。また、図示を省略するが、下レール５２４の立ち上がり部分についても、適宜な間隔で排水口が設けられており、下レール５２４と脱衣室側側面部５２３との間に浸入した水を浴室側に向かって排水できるようになっている。
そして、下枠５２の底面部５２１、浴室側側面部５２２、および下レール５２４で形成され、上方に向かって開口した断面略コ字形の溝状部の上方を覆って、カバー部材５８が下枠５２に取り付けられている。
【００５８】
カバー部材５８は、踏み込み部用に上面が略フラットに形成されたアルミ形材製で、上面部５８１と、上面部５８１の下面に垂下された第１〜第３の垂下片５８２，５８３，５８４とを有している。これら第１〜第３の垂下片５８２，５８３，５８４には、図１１に示すように、適宜な間隔で切り欠き（開口）が設けられている。そして、カバー部材５８は、その浴室側端縁が下枠５２の浴室側側面部５２２上部に支持され、第３垂下片５８４が下枠５２の下レール５２４近傍の底面部５２１に載置されて、下枠５２上に配置されている。また、浴室側側面部５２２および下レール５２４には、カバー部材５８のずれ止め用の突片等が設けられている。
【００５９】
カバー部材５８の下面には、第１および第２の垂下片５８２，５８３に挟まれて、導水部材としてのスポンジ６０が取り付けられている。スポンジ６０は、図１１に示すように、カバー部材５８の長手方向略全長に渡って、第１および第２の垂下片５８２，５８３間に圧入して挿入されている。また、スポンジ６０は、ウレタン等の合成樹脂製の海綿状部材であって、その表面には、凹凸が形成されている。そして、スポンジ６０の導水面部としての下面６０Ａは、図１２に示すように、下枠５２の底面部５２１に隙間を介して対向し、底面部５２１滞留しようとする水の仮想滞留表面Ｓに接する位置に設けられている。以上のようなスポンジ６０により、本発明の請求項６、７に記載した導水部材が構成されている。なお、導水部材（スポンジ６０）の材料は、特に限定されず、表面（導水面部）に凹凸形状を有し、水の表面張力を壊すことができるものであればよく、例えば、ゴム製や硬質な合成樹脂製、アルミ等の金属製でもよい。
【００６０】
次に、浴室出入口１の下枠５２における排水構造について説明する。
浴室側からカバー部材５８や下レール５２４を越えて、下枠５２の底面部５２１上に流れ込んだ水は、底面部５２１の傾斜に沿って浴室側に流れて、浴室側側面部５２２の排水口５２２Ａから浴室床２の溝部２Ｃに排出される。
そして、底面部５２１上の大半の水が排水され、水自体の水圧（重力）では排水できない程度まで水の量が少なくなった状態において、表面張力により底面部５２１上に滞留しようとする水は、その仮想滞留表面Ｓがスポンジ６０の下面６０Ａに接するようになっている。これにより、滞留しようとする水は、その表面張力が壊されることで滞留することができず、底面部５２１の傾斜に沿って浴室側に流れることになる。これにより、底面部５２１上の水は、浴室側側面部５２２の排水口５２２Ａから浴室床２の溝部２Ｃに排水される。
【００６１】
このような本実施形態によれば、以下のような効果がある。
（９）  カバー部材５８の下面に取り付けられたスポンジ６０の下面６０Ａと、下枠５２の底面部５２１上に滞留しようとする水の仮想滞留表面Ｓとが接しているので、底面部５２１上の水の表面張力が壊され、底面部５２１の傾斜に沿って排水口５２２Ａから排水される。従って、バリアフリータイプの下枠５２において、底面部５２１に水が滞留しやすい場合であっても、この水を確実に排水することができ、下枠５２内部を即座に乾燥させて、清潔性を維持させることができる。
【００６２】
（１０）  この際、スポンジ６０をカバー部材５８の略全長に渡って設け、スポンジ６０の下面６０Ａを底面部５２１に対向して配置したことで、下枠５２の全長に渡って、かつ見込み方向にも広い範囲について、底面部５２１上の水を効果的に排水することができる。
【００６３】
（１１）  また、スポンジ６０をカバー部材５８に取り付けるだけで、下枠５２の底面部５２１に対向する導水部材を配置することができ、下枠５２に複雑な加工を施す必要がなく、導水部材を容易に設けることができる。さらに、スポンジ６０がカバー部材５８に圧入により取り付けられているので、容易に取り外すことができ、清掃や交換等のメンテナンスを簡単に実施することができる。
【００６４】
なお、本発明は、前記実施形態に限定されるものではない。
例えば、前記実施形態では、浴室出入口の建具について説明したが、これに限らず、建物の外壁に設けられたサッシ窓に本発明の排水構造を適用してもよい。また、浴室は、ユニット化されたものに限らず、在来工法で形成された浴室であってもよい。さらに、浴室には脱衣室が隣接し、この脱衣室から浴室に出入りするものに限らず、浴室出入口が居室や廊下に向かって開口するものでもよい。
また、浴室出入口の形式について、前記実施形態では折れ戸形式または片引戸形式とたが、二枚引戸形式や三連引戸形式、開き戸形式の出入口でもよい。
【００６５】
また、前記第１実施形態では、水平面部が下枠１２の上面部１２６に設けられていたが、水平面部の位置は特に限定されるものではなく、排水樋等の排水部の上方に配置されていればよい。すなわち、水平面部が脱衣室側に形成されていてもよく、また、下枠の上面よりも下方に下がった位置に設けられていてもよい。さらに、レール部は、水平面部に立設するものに限らず、他の位置にレール部を設けてもよく、また、レール付きのカバー部材等を下枠の上部に配置してもよい。このようなレール付きのカバー部材を配置する場合には、このカバー部材の端面と縦枠との間に、前記したシール材２０を介挿して、シール材の導水孔を介してカバー部材のレール間に滞留しようとする水を排水するように構成してもよい。
【００６６】
また、前記第２実施形態では、排水樋３２Ａにより排水部が構成されるものとしたが、これに限らず、ピット状の排水穴から排水部を構成してもよい。また、排水口４１を排水キャップ４０に設けたが、これに限らず、下枠の底面部を上下に貫通して排水口を設けてもよく、また、下枠と縦枠とが直接接合される建具の場合には、排水キャップを省略し、縦枠を見付け方向に貫通する排水口を設けてもよい。
また、導水部材としての突起４２は、排水キャップに固定したものに限らず、下枠に固定されていてもよく、また、カバー材等に設けられていてもよい。すなわち、導水部材は、排水口の上方または内側位置から、排水部の上面に沿った位置まで連続して設けられていればよい。
【００６７】
また、前記第３実施形態では、カバー部としてのカバー部材５８を下枠５２と別体に構成したが、これに限らず、下枠と一体にカバー部を構成してもよい。また、導水部材としてのスポンジ６０をカバー部と一体に形成してもよい。また、導水部材をカバー部材の略全長に渡って設けたが、適宜な間隔を介して分割してもよい。さらに、下枠５２の排水口５２２Ａを浴室側側面部５２２に設けたが、これに限らず、排水口を下枠の底面部に設け、この排水口に接続された配水管等を介して排水するように構成してもよい。
【００６８】
【発明の効果】
以上に述べたように、本発明のサッシ下枠の排水構造、およびこれを備えたサッシによれば、十分な排水勾配が設けられていなくても、下枠に滞留しようとする水を確実に排水することができるという効果がある。
【図面の簡単な説明】
【図１】本発明の第１実施形態に係る排水構造が設けられた浴室出入口を示す縦断面図である。
【図２】前記浴室出入口の要部を拡大して示す脱衣室側から見た斜視図である。
【図３】前記浴室出入口の建具を構成する下枠の断面図である。
【図４】前記下枠および縦枠の接合部分を拡大して示す断面図である。
【図５】（Ａ），（Ｂ）は、前記下枠の一部を拡大して示す断面図である。
【図６】本発明の第２実施形態に係る排水構造が設けられた浴室出入口の下枠部分を拡大して示す縦断面図である。
【図７】前記下枠の端部を拡大して示す斜視図である。
【図８】（Ａ），（Ｂ）は、前記下枠の端部および排水キャップを示す平面図および断面図である。
【図９】前記下枠の一部を拡大して示す断面図である。
【図１０】本発明の第３実施形態に係る排水構造が設けられた浴室出入口の下枠部分を拡大して示す縦断面図である。
【図１１】前記下枠に設けられるカバー部材を下方から見た底面図である。
【図１２】前記下枠の一部を拡大して示す断面図である。
【符号の説明】
１２，３２，５２…下枠、１２Ａ…水平面部、１２Ｂ…下レール、１２Ｃ…切欠部、１２Ｄ，３２Ａ…排水部である排水樋、１２Ｅ…下枠の側端面、１２Ｆ，３２Ｂ…溝、１３，５３…縦枠、１３Ｂ…縦枠の内側面、１５，３５，５５…障子、１７Ａ，５７Ａ…戸車、２０…シール材、４０…排水キャップ、４１…排水口、４２…導水部材である突起、５８…カバー部であるカバー部材、６０…導水部材であるスポンジ、６０Ａ…導水面部であるスポンジの下面、１２１，３２１，５２１…底面部、２０１…導水孔、２０１Ａ…導水孔の上端縁、Ｓ…仮想滞留表面。
【図１】
2005023647.tif 000003
【図２】
2005023647.tif 000004
【図３】
2005023647.tif 000005
【図４】
2005023647.tif 000006
【図５】
2005023647.tif 000007
【図６】
2005023647.tif 000008
【図７】
2005023647.tif 000009
【図８】
2005023647.tif 000010
【図９】
2005023647.tif 000011
【図１０】
2005023647.tif 000012
【図１１】
2005023647.tif 000013
【図１２】
2005023647.tif 000014